(57)【要約】【課題】発光手段の反射光が、記録される動画および動画中に行われる静止画に及ぼす影響を防ぎ、良好な動画および静止画を与える。【解決手段】光学像を電気信号に変換して画像データを出力する撮像素子と、前記画像データから動画を生成し、記録する動画記録手段により動画が記録されており、かつ、該動画記録中に前記画像データから静止画を撮影することを可能にする静止画撮影手段にて静止画記録の準備動作が開始されたことを判定した場合（Ｓ２０２，Ｓ２０５）は、発光手段を発光させないようにする（Ｓ２０６，Ｓ２０７）発光制御手段とを有する撮像装置を提供する。【選択図】図２
2007049417.tif 000002
【特許請求の範囲】
【請求項１】
光学像を電気信号に変換して画像データを出力する撮像素子と、
前記画像データから動画を生成し、記録する動画記録手段により動画が記録されており、かつ、該動画記録中に前記画像データから静止画を撮影することを可能にする静止画撮影手段にて静止画記録の準備動作が開始されたことを判定した場合は、発光手段を発光させないようにする発光制御手段とを有することを特徴とする撮像装置。
【請求項２】
光学像を電気信号に変換して画像データを出力する撮像素子と、
前記画像データから動画を生成し、記録する動画記録手段により動画が記録されており、かつ、該動画記録中に前記画像データから静止画を撮影することを可能にする静止画撮影手段にて静止画記録の準備動作が開始されたことを判定した場合は、発光手段の発光量を、前記動画記録中でない場合の静止画撮影時の発光量よりも減少させるようにする発光制御手段とを有することを特徴とする撮像装置。
【請求項３】
光学像を電気信号に変換して画像データを出力する撮像素子と、
前記画像データから動画を生成し、記録する動画記録手段により動画が記録されている際の静止画撮影における発光手段の発光／非発光を撮影者に設定させる発光設定操作手段と、
前記動画記録手段により動画が記録されており、かつ、該動画記録中に静止画記録の準備動作が開始されたことを判定した場合、前記発光設定操作手段の設定操作状態に応じて前記発光手段の発光制御を行う発光制御手段とを有することを特徴とする撮像装置。
【請求項４】
光学像を電気信号に変換して画像データを出力する撮像素子と、
発光手段の発光／非発光を撮影者に選択させる発光選択手段と、
前記画像データから動画を生成し、記録する動画記録手段により動画が記録されており、かつ、該動画記録中に前記画像データから静止画を撮影することを可能にする静止画撮影手段にて静止画記録の準備動作が開始され、かつ、発光手段の点灯条件が成立した場合には、前記発光選択手段により撮影者に発光／非発光を選択させ、その結果に応じて前記発光手段を制御する発光制御手段とを有することを特徴とする撮像装置。
【請求項５】
前記発光手段は、低照度時の焦点検出動作を補助するための発光手段、もしくは、動画記録中であることを撮影者に認識させるための発光手段であることを特徴とする請求項１ないし４のいずれかに記載の撮像装置。
【請求項６】
撮像素子により光学像を電気信号に変換して得られる画像データから動画が生成され、記録されている間であり、かつ、該動画記録中に前記画像データから静止画を撮影することを可能にする静止画撮影手段にて静止画記録の準備動作が開始されたことを判定した場合は、発光手段を発光させないようにする発光制御手段を有することを特徴とする焦点調節装置。
【発明の詳細な説明】
【技術分野】
【０００１】
本発明は、動画記録および動画中に静止画撮影を可能にする撮像装置および焦点調節装置に関するものである。
【背景技術】
【０００２】
従来のデジタルカメラには、ＡＦ補助光装置やストロボ装置、動画記録時に録画中であることを撮影者および被撮影者が容易に確認できるようにするためのタリーランプなど、各種発光手段が備わっているものが存在する。なお、上記ＡＦ補助光装置は、低照度時の焦点検出性能を向上させるためのものであり、ストロボ装置は、低照度時の静止画撮影時に適切な露光量を得るためのものである。また、近年では、動画記録中に静止画撮影可能なデジタルカメラが登場している。このように何らかの発光手段を備え、かつ、動画記録中に静止画撮影可能なデジタルカメラにおいては、発光手段による反射光が、記録される動画および静止画に写り込んでしまう問題が存在する。
【０００３】
この問題を解決した例として、特許文献１に開示のデジタルカメラがある。このデジタルカメラは、動画記録に適した第１の撮像素子と、該第１の撮像素子よりも多い画素数からなる静止画記録に適した第２の撮像素子と、静止画記録用に補助光手段（ストロボ装置など）とを備えている。そして、第１の撮像素子を用いて動画記録を行っている場合に、第２の撮像素子により静止画を記録しかつ補助光の発光を伴う場合には、第１の撮像素子の非露光期間に当たるときに所定の補助光を発光させるように制御している。このようにして、記録される動画に静止画記録用に発光される補助光の反射光が写り込まないようにすることで、良好な動画および静止画の記録を可能としている。
【特許文献１】特開２０００−２９５５２２号公報
【発明の開示】
【発明が解決しようとする課題】
【０００４】
ところが、昨今のデジタルカメラの発展は目覚しく、より小型かつ提供可能な機能がより高度になっている。その具体的な例として、単一の撮像素子のみを備えたデジタルカメラにおける動画撮影機能や、動画記録中での静止画撮影機能などが挙げられる。このようなデジタルカメラにおいては、静止画撮影のための露光時など、動画記録ができなくなる場合のみ動画記録を中断している。そして、それ以外の期間、例えば静止画撮影の準備動作中（静止画撮影用のＡＥ（自動露出）およびＡＦ（オートフォーカス）動作中）などは動画の記録を継続することが可能である。しかしながら、単一の撮像素子のみを備えたデジタルカメラにおいては、動画および静止画を記録するための撮像素子が共用されているために、上記特許文献１のように動画記録用の露光期間外に補助光手段を制御することができない。このため、記録される動画および静止画に補助光の反射光が写り込むことを回避することができないといった課題を有していた。
【０００５】
（発明の目的）
本発明の目的は、当該装置に備えられた発光手段の反射光が、記録される動画および動画中に行われる静止画に及ぼす影響を防ぎ、良好な動画および静止画を与えることのできる装置を提供しようとするものである。
【課題を解決するための手段】
【０００６】
上記目的を達成するために、本発明では、光学像を電気信号に変換して画像データを出力する撮像素子と、前記画像データから動画を生成し、記録する動画記録手段により動画が記録されており、かつ、該動画記録中に前記画像データから静止画を撮影することを可能にする静止画撮影手段にて静止画記録の準備動作が開始されたことを判定した場合は、発光手段を発光させないようにする発光制御手段とを有することを特徴とするものである。
【０００７】
また、上記目的を達成するために、本発明では、光学像を電気信号に変換して画像データを出力する撮像素子と、前記画像データから動画を生成し、記録する動画記録手段により動画が記録されており、かつ、該動画記録中に前記画像データから静止画を撮影することを可能にする静止画撮影手段にて静止画記録の準備動作が開始されたことを判定した場合は、発光手段の発光量を、前記動画記録中でない場合の静止画撮影時の発光量よりも減少させるようにする発光制御手段とを有することを特徴とするものである。
【０００８】
また、上記目的を達成するために、本発明では、光学像を電気信号に変換して画像データを出力する撮像素子と、前記画像データから動画を生成し、記録する動画記録手段により動画が記録されている際の静止画撮影における発光手段の発光／非発光を撮影者に設定させる発光設定操作手段と、前記動画記録手段により動画が記録されており、かつ、該動画記録中に静止画記録の準備動作が開始されたことを判定した場合、前記発光設定操作手段の設定操作状態に応じて前記発光手段の発光制御を行う発光制御手段とを有することを特徴とするものである。
【０００９】
また、上記目的を達成するために、本発明では、光学像を電気信号に変換して画像データを出力する撮像素子と、発光手段の発光／非発光を撮影者に選択させる発光選択手段と、前記画像データから動画を生成し、記録する動画記録手段により動画が記録されており、かつ、該動画記録中に前記画像データから静止画を撮影することを可能にする静止画撮影手段にて静止画記録の準備動作が開始され、かつ、発光手段の点灯条件が成立した場合には、前記発光選択手段により撮影者に発光／非発光を選択させ、その結果に応じて前記発光手段を制御する発光制御手段とを有することを特徴とするものである。
【００１０】
また、上記目的を達成するために、本発明の焦点調節装置では、撮像素子により光学像を電気信号に変換して得られる画像データから動画が生成され、記録されている間であり、かつ、該動画記録中に前記画像データから静止画を撮影することを可能にする静止画撮影手段にて静止画記録の準備動作が開始されたことを判定した場合は、発光手段を発光させないようにする発光制御手段を有することを特徴とするものである。
【発明の効果】
【００１１】
本発明によれば、良好な動画および静止画を与えることができる装置を提供できる。
【発明を実施するための最良の形態】
【００１２】
本発明を実施するための最良の形態は、以下の実施例１ないし４に記載の通りである。
【実施例１】
【００１３】
図１は本発明の実施例１に係るデジタルカメラ１００の回路構成を示すブロック図である。図１において、１０は撮影レンズであり、フォーカスレンズ１０ａ及びズームレンズ１０ｂから構成される。１２は絞り機能を備えるシャッタ、１４は動画用と静止画用に共用される単一の撮像素子、１６は撮像素子１４からのアナログ信号をデジタル信号に変換するＡ／Ｄ変換器である。１８はタイミング発生回路であり、撮像素子１４、Ａ／Ｄ変換器１６および後述のＤ／Ａ変換器２６にクロック信号や制御信号を供給するものであり、メモリ制御回路２２及びシステム制御回路５０により制御される。
【００１４】
２０は画像処理回路であり、Ａ／Ｄ変換器１６からのデータ或いはメモリ制御回路２２からのデータに対して所定の画素補間処理や色変換処理を行う。また、画像処理回路２０は、撮像した画像データを用いて所定の演算処理を行い、得られた演算結果をシステム制御回路５０に出力している。システム制御回路５０は、この演算結果に基づいて絞りシャッタ駆動部４０、フォーカスレンズ駆動部４２の制御を行う、ＴＴＬ（スルー・ザ・レンズ）方式のＡＦ処理、ＡＥ（自動露出）処理、ＥＦ（フラッシュプリ発光）処理を行っている。画像処理回路２０は、撮像した画像データを用いて所定の演算処理を行い、得られた演算結果に基づいてＴＴＬ方式のＡＷＢ（オートホワイトバランス）処理も行っている。
【００１５】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１６】
２４は画像表示メモリ、２６はＤ／Ａ変換器、２８はＴＦＴ  ＬＣＤ等から成る画像表示部であり、Ｄ／Ａ変換器２６を介して入力される画像表示メモリ２４に書き込まれた表示用の画像データを表示する。画像表示部２８を用いて撮像した画像データを逐次表示すれば、電子ファインダ機能を実現することが可能である。画像表示部２８は、システム制御回路５０の指示により、任意に表示をＯＮ／ＯＦＦすることが可能であり、表示をＯＦＦにした場合には撮像装置１００の電力消費を大幅に低減することが出来る。
【００１７】
３０は撮影した静止画像や動画像を格納するためのメモリであり、所定枚数の静止画像や所定時間の動画像を格納するのに十分な記憶量を備えている。これにより、複数枚の静止画像を連続して撮影する連写撮影やパノラマ撮影の場合にも、高速かつ大量の画像書き込みをメモリ３０に対して行うことが可能となる。メモリ３０はシステム制御回路５０の作業領域としても使用することが可能である。３２は圧縮・伸長回路であり、適応離散コサイン変換（ＡＤＣＴ）、ウェーブレット変換等により画像データを圧縮伸長する。詳しくは、メモリ３０に格納された画像データを読み込んで圧縮処理或いは伸長処理を行い、処理を終えた画像データをメモリ３０に書き込む。
【００１８】
４０は絞り機能を備えるシャッタ１２を制御する絞りシャッタ駆動部であり、後述のフラッシュ（ストロボ装置）４８と連携することによりフラッシュ調光機能も有するものである。４２はフォーカスレンズ１０ａの駆動を制御するフォーカスレンズ駆動部、４４はズームレンズ１０ｂを駆動させるズームレンズ駆動部である。上記フラッシュ４８は、ＡＦ補助光の投光機能、フラッシュ調光機能も有する。絞りシャッタ駆動部４０およびフォーカスレンズ駆動部４２は、画像データを画像処理回路２０によって演算された演算結果に基づいてシステム制御回路５０により制御され、露出、ピントの調整を行うことになる。４６は保護手段であるバリア１０２の動作を制御するバリア制御部である。
【００１９】
５０は上記から明らかなようにデジタルカメラ１００全体を制御するシステム制御回路、５２はシステム制御回路５０の動作用の定数、変数、プログラム等を記憶するメモリである。
【００２０】
５４は表示部であり、システム制御回路５０でのプログラムの実行に応じて、文字、画像、音声等を用いて動作状態やメッセージ等を表示する液晶表示装置、スピーカー等がこれに相当する。そして、デジタルカメラ１００の操作部近辺の視認し易い位置に単数或いは複数個所設置され、例えばＬＣＤやＬＥＤ、発音素子等の組み合わせにより構成されている。また、表示部５４は、その一部の機能が光学ファインダ１０４内に設置されている。
【００２１】
上記表示部５４の表示内容のうち、ＬＣＤ等に表示するものとしては、例えば、シングルショット／連写撮影表示、セルフタイマ表示、圧縮率表示、記録画素数表示、記録枚数表示、残撮影可能枚数表示、シャッタスピード表示、絞り値表示、露出補正表示がある。さらに、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示がある。さらには、通信Ｉ／Ｆ動作表示、日付・時刻表示、外部コンピュータとの接続状態を示す表示、等がある。
【００２２】
また、表示部５４の表示内容のうち、光学ファインダ１０４内に表示されるものとしては以下のものがある。例えば、合焦表示、撮影準備完了表示、手振れ警告表示、フラッシュ充電表示、フラッシュ充電完了表示、シャッタスピード表示、絞り値表示、露出補正表示、記録媒体書き込み動作表示、等である。さらに、表示部５４の表示内容のうち、ＬＥＤ等に表示するものとしては以下のものがある。例えば、合焦表示、撮影準備完了表示、手振れ警告表示、手振れ警告表示、フラッシュ充電表示、フラッシュ充電完了表示、記録媒体書き込み動作表示、マクロ撮影設定通知表示、二次電池充電状態表示、等である。
【００２３】
５８はタリーランプであり、動画記録中であることを通知するために点灯、消灯、点滅等の動作を行う。５９はＡＦ補助光部であり、撮影するシーンが低照度の場合に静止画撮影準備のＡＦ動作時に点灯し、低照度時のＡＦ性能を向上させる目的で使用される。
【００２４】
５６は電気的に消去・記録可能な不揮発性メモリであり、例えばＥＥＰＲＯＭ、フラッシュメモリ等が用いられる。６０，６２，６４，７０及び７２は、システム制御回路５０の各種の動作指示を入力するための操作手段であり、スイッチやダイアル、タッチパネル、視線検知によるポインティング、音声認識装置等の単数或いは複数の組み合わせで構成される。
【００２５】
ここで、上記操作手段について詳しく説明する。６０は電源スイッチ（メインスイッチ）であり、デジタルカメラ１００の電源ＯＮ、電源ＯＦＦの各モードを切り換え設定することが出来る。また、デジタルカメラ１００に接続された各種付属装置の電源ＯＮ、電源ＯＦＦの設定も合わせて切り換え設定することが出来る。６２（ＳＷ１）はスイッチであり、不図示のシャッタボタンの第１ストロークによりＯＮする。そして、このＯＮにより、ＡＦ処理、ＡＥ処理、ＡＷＢ（オートホワイトバランス）処理、ＥＦ（フラッシュプリ発光）処理等の動作が行われる。６４（ＳＷ２）はレリーズスイッチであり、同じく不図示のシャッタボタンの第２ストロークによりＯＮする。そして、このＯＮにより、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理が行われる。さらには、メモリ３０から画像データを読み出し、圧縮・伸長回路３２で圧縮を行い、記録媒体２００に画像データを書き込む記録処理、という一連の処理が行われる。
【００２６】
また、７０は各種ボタンやタッチパネル等からなる操作部であり、メニューボタン、セットボタン、マクロボタン、マルチ画面再生改ページボタン、フラッシュ設定ボタン、単写／連写／セルフタイマ切り換えボタンが含まれる。また、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、画像表示ＯＮ／ＯＦＦボタン、圧縮モードスイッチも含まれる。さらに、撮影直後に撮影した画像データを画像表示部２８を用いて自動再生表示するクイックレビュー機能を設定するクイックレビュースイッチ、撮影及び或いは再生及び或いは通信を実行する際に各種機能の選択及び切り換えを設定する選択／切り換えスイッチも含まれる。さらには、撮影及び或いは再生及び或いは通信を実行する際に各種機能の決定及び実行を設定する決定／実行スイッチ、等も含まれる。
【００２７】
なお、圧縮モードスイッチは、ＪＰＥＧ（JointPhotographic Expert Group）圧縮の圧縮率を選択するため、或いは撮像素子１４からの信号をそのままデジタル化して記録媒体に記録するＣＣＤＲＡＷモードを選択するためのスイッチである。
【００２８】
上記のＪＰＥＧ圧縮のモードは、例えばノーマルモードとファインモードが用意されている。デジタルカメラ１００の利用者は、撮影した画像のデータサイズを重視する場合はノーマルモードを、撮影した画像の画質を重視する場合はファインモードを、それぞれ選択して撮影を行うことが出来る。ＪＰＥＧ圧縮のモードにおいては、撮像素子１４から読み出されてＡ／Ｄ変換器１６、画像処理回路２０、メモリ制御回路２２を介して、メモリ３０に書き込まれた画像データを読み出す。そして、圧縮・伸長回路３２により設定した圧縮率に圧縮し、記録媒体２００への記録が行われる。ＣＣＤＲＡＷモードでは、撮像素子１４からの色フィルタの画素配列に応じて、ライン毎にそのまま画像データを読み出して、Ａ／Ｄ変換器１６、メモリ制御回路２２を介して、メモリ３０に書き込まれた画像データを読み出し、記録媒体２００への記録が行われる。
【００２９】
また、７２はモードダイアルスイッチであり、自動撮影モード、撮影モード、パノラマ撮影モード、再生モード、マルチ画面再生・消去モード、ＰＣ接続モード等の各機能モードを切り換え設定することが出来る。なお、このデジタルカメラ１００は、特に、撮影モード、再生モード、プリントサービスモードを備える構成としている。
【００３０】
８０は電源制御装置であり、電池検出回路、ＤＣ−ＤＣコンバータ、通電するブロックを切り換えるスイッチ回路等により構成されている。そして、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。８２はコネクタ、８４はコネクタ、８６はアルカリ電池やリチウム電池等の一次電池やＮｉＣｄ電池やＮｉＭＨ電池、Ｌｉ−ｉｏｎ電池等の二次電池、ＡＣアダプター等からなる電源装置である。
【００３１】
９０はメモリカードやハードディスク等の記録媒体とのインターフェース、９２はメモリカードやハードディスク等の記録媒体と接続を行うコネクタである。１０２はバリアであり、デジタルカメラ１００のレンズ１０を含む撮像部を覆う事により、撮像部の汚れや破損を防止するものである。
【００３２】
１０４は光学ファインダであり、画像表示部２８による電子ファインダ機能を使用すること無しに、該光学ファインダ１０４のみを用いて撮影を行うことが可能である。また、光学ファインダ１０４内には、表示部５４の一部の機能、例えば、合焦表示、手振れ警告表示、フラッシュ充電表示、シャッタスピード表示、絞り値表示、露出補正表示などが設置されている。１１２はコネクタであり、通信手段１１０により他の機器と接続する際に使用される。
【００３３】
上記通信手段１１０の例としては、ＲＳ２３２ＣやＵＳＢ（UniversalSerial Bus）、ＩＥＥＥ（Institute of Electrical and Electronics Engineers）  １３９４等の有線通信手段が挙げられる。
【００３４】
２００はメモリカードやハードディスク等の記録媒体である。該記録媒体２００は、半導体メモリや磁気ディスク等から構成される記録部２０２、撮像装置１００とのインターフェース２０４、撮像装置１００と接続を行うコネクタ２０６を備えている。
【００３５】
次に、上記構成のデジタルカメラ１００において、動画記録中に行われる静止画撮影でのＡＦ補助光制御動作について、図２のフローチャートを用いて説明する。
【００３６】
まずステップＳ２００では、システム制御回路５０は、デジタルカメラ１００に具備された不図示のシャッタボタンの第１ストロークによりスイッチＳＷ１がＯＮしたか否かを判定し、ＯＮしていなければこのステップに留まる。その後、スイッチＳＷ１がＯＮしたことを判定すると、ステップＳ２０１へ進み、焦点調節前の露出調整を行う。そして、次のステップＳ２０２にて、現在動画記録中であるか否かを判定し、動画記録中である場合は直ちにステップＳ２０５へ進む。
【００３７】
一方、ステップＳ２０２にて動画記録中でないと判定した場合は、システム制御回路５０は、ステップＳ２０３へ進み、ＡＦ補助光部５９を駆動してＡＦ補助光を点灯させる必要があるか否かを判定する。必要があると判定した場合はステップＳ２０４へ進み、ＡＦ補助光を点灯させる。そして、ステップＳ２０５へ進む。また、ＡＦ補助光を点灯させる必要がないと判定した場合はステップＳ２０５へ進む。
【００３８】
ステップＳ２０５では、システム制御回路５０は、焦点調節処理を行う。そして、この焦点調節処理が完了するとステップＳ２０６へ進み、ＡＦ補助光が点灯中であるか否かを判定する。既にＡＦ補助光が点灯している場合はステップＳ２０７へ進み、ＡＦ補助光を消灯してステップＳ２０８へ進む。また、ステップＳ２０６にてＡＦ補助光が点灯していないと判定した場合は、直ちにステップＳ２０８へ進む。
【００３９】
ステップＳ２０８では、システム制御回路５０は、静止画記録（本露光）用の露出調整を行い、静止画撮影に適した露出となるようにする。そして、静止画記録用の露出調整が完了するとステップＳ２０９へ進み、不図示のシャッタボタンの第２ストロークによりＯＮするレリーズスイッチＳＷ２の状態を判定する。ここで、レリーズスイッチＳＷ２がＯＦＦであればステップＳ２１０へ進み、スイッチＳＷ１の状態を判定し、該スイッチＳＷ１がＯＮのままであれば再度ステップＳ２０９へ戻り、同様の動作を行う。また、上記ステップＳ２１０において、スイッチＳＷ１がＯＦＦであった場合は、一連の撮影処理を終了する。したがって、スイッチＳＷ１がＯＮかつレリーズスイッチＳＷ２がＯＮとなる条件が成立しない限り、以降の静止画撮影は実施されない。
【００４０】
上記ステップＳ２０９にてレリーズスイッチＳＷ２がＯＮしたことを判定すると、システム制御回路５０は、ステップＳ２１１へ進み、静止画記録のために撮像素子１４への露光を行う。次のステップＳ２１２では、撮像素子１４に蓄積されたデータを読み出し、そしてステップＳ２１３にて、Ａ／Ｄ変換器１６を使って撮像素子１４から読み出したアナログ信号をデジタル信号に変換する。そして、次のステップＳ２１４にて、画像処理回路２０を使って各種画像処理を行う。続くステップＳ２１５では、上記ステップＳ２１４で処理した画像を静止画記録に適した形に圧縮する。そして、ステップＳ２１６にて、上記ステップＳ２１５で圧縮したデータを、記録媒体用インターフェース９０を介してデジタルカメラ１００に装着されたメモリカードなどの記録媒体２００へ転送する。
【００４１】
以上により、一連の処理を終了する。
【００４２】
なお、システム制御回路５０によって得られた各種判定結果、演算結果はメモリ５２に記憶され、必要に応じて読み出されながら所望の処理が実行される。
【００４３】
以上の実施例１によれば、動画記録中に静止画撮影の準備動作に入った場合には、ＡＦ補助光を点灯させないようにしている（図２のステップＳ２０２→Ｓ２０５（Ｓ２０３，Ｓ２０４をスキップする））。換言すれば、動画記録中の静止画撮影時で、かつＡＦ補助光の発光の必要がある場合であっても、記録される動画の画質を優先し、静止画撮影準備期間におけるＡＦ補助光の発光を行わないようにしている。よって、静止画撮影準備中も記録され続けている動画に対して、ＡＦ補助光の反射光が映り込むことを未然に防ぐことが可能であり、撮影者に対して良好な動画を与えることが可能となる。
【００４４】
なお、上記の変形例として、動画記録中に静止画撮影の準備動作に入った場合には、ＡＦ補助光の発光量を、静止画撮影のみ行われる場合に比べて抑制するようにしても良い。このことによって、ＡＦ補助光による静止画記録用の焦点検出動作の性能向上を実現しつつ、静止画撮影準備中も記録され続けている動画に対してＡＦ補助光の反射光が映り込む量を抑えることが可能である。よって、撮影者に対して良好な動画を与えることができるものである。
【実施例２】
【００４５】
次に、本発明の実施例２に係わるデジタルカメラについて説明する。この実施例２では、動画記録中に静止画撮影が可能な場合で、かつ動画記録中に静止画撮影用のＡＦ補助光のＯＮ／ＯＦＦ設定を可能にする機能を備えた例を示すものである。なお、この実施例２におけるデジタルカメラの回路構成は、上記実施例１に示した図１と同様の構成であるため、その詳細は省略する。
【００４６】
図３（ａ）〜（ｃ）は、本発明の実施例２に係わるデジタルカメラにおいて、動画記録中において静止画撮影時に使用されるＡＦ補助光のＯＮもしくはＯＦＦ設定時の動作を示すフローチャートである。
【００４７】
図３（ａ）は、撮影者の意思に応じて、事前に動画記録中においてＡＦ補助光の発光の許可、非許可を設定するためのフローチャートである。
【００４８】
図３（ａ）において、まずステップＳ３００では、システム制御回路５０は、デジタルカメラ１００に備えられた画像表示部２８に、撮影者によって動画記録中にＡＦ補助光の発光を許可するメニュー表示（ＯＮ設定）がなされたかを判定する。その結果、ＡＦ補助光の発光を許可するＯＮ設定がなされた場合はステップＳ３００からステップＳ３０１へ進み、ＡＦ補助光の発光を許可することを示すＯＮ設定をメモリ５２に記憶する。
【００４９】
一方、撮影者が動画記録中のＡＦ補助光の発光を許可しないためにＯＦＦ設定がなされた場合は、システム制御回路５０は、ステップＳ３００からステップＳ３０２へ進み、ＡＦ補助光の発光を許可しないことを示すＯＦＦ設定をメモリ５２に記憶する。
【００５０】
上記メモリ５２に記憶されたＯＮ設定もしくはＯＦＦ設定の情報は、後述の図３（ｂ）に示す撮影処理にて用いられる。
【００５１】
図３（ｂ）は、本発明に係わる部分の撮影動作を示すフローチャートである。まずステップＳ３０３にて、システム制御回路５０は、不図示のレリーズボタンの第１ストロークによりＯＮするスイッチＳＷ１の状態を判定し、ＯＦＦであればこのステップに留まる。その後、スイッチＳＷ１がＯＮしたことを判定するとステップＳ３０４へ進み、焦点調節前の露出調整を行う。
【００５２】
次のステップＳ３０５では、システム制御回路５０は、ＡＦ補助光部５９を駆動してＡＦ補助光を点灯させる必要があるか否かを判定し、ＡＦ補助光を点灯させる必要がなければステップＳ３０９へ直ちに進む。また、ＡＦ補助光を点灯させる必要がある場合はステップＳ３０６へ進み、静止画撮影動作が動画記録中に実行されているか否かの判定を行う。動画記録中でないと判定するとステップＳ３０８へ進み、ＡＦ補助光を点灯させる。また、動画記録中であればステップＳ３０６からステップＳ３０７へ進み、動画記録中にＡＦ補助光発光の許可をするＯＮ設定がメモリ５２に記憶されているか否かを判定する。その際、事前に撮影者によって設定された操作がＯＮ設定であった場合は、次のステップＳ３０８へ進み、ＡＦ補助光を点灯させる。一方、メモリ５２にＯＦＦ設定が記憶されていた場合にはＡＦ補助光は点灯させず、ステップＳ３０９に進む。そして、ステップＳ４０９にて、焦点調節処理を実行する。
【００５３】
以下のステップＳ３１０からステップＳ３２０までの動作は、上記実施例1における図２のステップＳ２０６からステップＳ２１６までの動作と同様であるため、その説明は省略する。
【００５４】
上記の実施例２によれば、動画記録中に行われる静止画撮影でのＡＦ補助光の発光設定の要否（ＯＮ設定もしくはＯＦＦ設定）を撮影者が事前に設定操作できるようにしている。このため、撮影者の意思を尊重し、例えば、動画の記録画質を優先したい場合は、発光手段の設定をＯＦＦにすることができる。よって、動画記録中に行われる静止画撮影でのＡＦ補助光の発光を抑制でき、記録される動画に対して反射光が映りこむことを未然に防ぐことが可能となる。
【００５５】
一方、静止画の記録画質を優先したい場合は、同じく撮影者の意思を尊重し、発光手段の設定をＯＮにするようにしている。よって、動画記録中に行われている静止画撮影でのＡＦ補助光の発光を許可し、低照度時のＡＦ性能を向上させ、ピントの合った良好な静止画像を与えることが可能となる。
【実施例３】
【００５６】
次に、本発明の実施例３に係わるデジタルカメラについて説明する。なお、この実施例３におけるデジタルカメラの回路構成についても、上記実施例１に示した図１と同様の構成であるため、その詳細は省略する。
【００５７】
本発明の実施例３では、動画記録中に静止画撮影が可能な場合で、かつ動画記録中における静止画撮影時にＡＦ補助光のＯＮ／ＯＦＦの選択を可能にした例を示すものである。以下、この動作について、図４のフローチャートにしたがって説明する。
【００５８】
図４において、まずステップＳ４００にて、システム制御回路５０は、不図示のレリーズボタンの第１ストロークによりＯＮするスイッチＳＷ１の状態を判定し、ＯＦＦであればこのステップに留まる。その後、スイッチＳＷ１がＯＮしたことを判定するとステップＳ４０１へ進み、焦点調節前の露出調整を行う。
【００５９】
次のステップＳ４０２では、システム制御回路５０は、ＡＦ補助光部５９を駆動してＡＦ補助光を点灯させる必要があるか否かを判定し、ＡＦ補助光を点灯させる必要がなければ直ちにステップＳ４０８へ進む。
【００６０】
一方、ＡＦ補助光を点灯させる必要がある場合は、システム制御回路５０は、ステップＳ４０２からステップＳ４０３へ進み、現在の静止画撮影準備動作が動画記録中になされているか否かを判定する。動画記録中でなければステップＳ４０７へ進み、ＡＦ補助光を点灯させる。また、動画記録中である場合はステップＳ４０３からステップＳ４０４へ進み、ＡＦ補助光のＯＮ／ＯＦＦの選択を撮影者に対して問い合わせる通知を行う。本実施例３では、図１の画像表示部２８に対して、図５に示すような、ＡＦ補助光のＯＮ／ＯＦＦの選択画面を表示し、撮影者の決定を促す。
【００６１】
次のステップＳ４０５では、システム制御回路５０は、撮影者が図５のような表示を見て、ＡＦ補助光のＯＮ／ＯＦＦの選択がなされたか否かを判定し、何れかの選択がなされるまで、上記ステップＳ４０４→Ｓ４０５→Ｓ４０４……を繰り返す。その後、ＡＦ補助光のＯＮ／ＯＦＦのいずれかの選択がなされるとステップＳ４０６へ進む。そして、このステップＳ４０６では、上記ステップＳ４０５にてＡＦ補助光のＯＮが選択されていることを判定するとステップＳ４０７へ進み、ＡＦ補助光を点灯させる。また、ＡＦ補助光のＯＦＦが選択されていると判定した場合はステップＳ４０８へ進む。そして、ステップＳ４０８にて、焦点調節処理を実行する。
【００６２】
以下のステップＳ４０９からステップＳ４１９までの動作は、上記実施例1における図２のステップＳ２０６からステップＳ２１６までの動作と同様であるため、その説明は省略する。
【００６３】
上記の実施例３によれば、動画記録中に行われる静止画撮影でのＡＦ補助光の発光／非発光を、動画記録中の静止画撮影時に撮影者にて選択可能にしているため、撮影しようとするシーン毎の状況に合わせ、撮影者の意思を尊重することが可能となる。例えば、撮影者が動画の記録画質を優先したい場合は、ＡＦ補助光の発光の選択をしなければ、動画記録中に行われる静止画撮影時でのＡＦ補助光の発光を抑制で、記録される動画に対してＡＦ補助光の反射光が映りこむことを未然に防ぐことが可能となる。
【００６４】
また、静止画の記録画質を優先したい場合は、発光設定をＯＮにすることで、動画記録中の静止画撮影におけるＡＦ補助光の発光を許可し、低照度時のＡＦ性能を向上させ、ピントの合った良好な静止画像を得ることを可能となる。
【実施例４】
【００６５】
次に、本発明の実施例４に係わるデジタルカメラについて説明する。なお、この実施例４におけるデジタルカメラの回路構成についても、上記実施例１に示した図１と同様の構成であるため、その詳細は省略する。
【００６６】
本発明の実施例４では、動画記録中に静止画撮影が可能な場合で、かつ動画記録中の静止画撮影時に動画記録中であることを示すタリーランプ５８を静止画撮影に適した状態に制御する例を示すものである。以下、この動作について、図６のフローチャートにしたがって説明する。
【００６７】
図６において、まずステップＳ５００にて、システム制御回路５０は、不図示のレリーズボタンの第１ストロークによりＯＮするスイッチＳＷ１の状態を判定し、ＯＦＦであればこのステップに留まる。その後、スイッチＳＷ１がＯＮしたことを判定するとステップＳ５０１へ進み、現在動画記録中であるか否かを判定し、動画記録中でなければ直ちにステップＳ５０３に進む。一方、動画記録中である場合はステップＳ５０１からステップＳ５０２へ進み、点滅しているタリーランプ５８を消灯する。
【００６８】
次のステップ５０３では、システム制御回路５０は、焦点調節用の露出調整を行い、続くステップＳ５０４にて、焦点調節を行う。そして、次のステップＳ５０５にて、静止画記録用露出調整を行い、静止画撮影に適した露出となるように調整を行う。静止画記録用露出調整が完了した後はステップＳ５０６へ進み、レリーズスイッチＳＷ２の状態を判定し、ＯＦＦであればステップＳ５０７へ進み、スイッチＳＷ１の状態を判定し、該スイッチＳＷ１がＯＮのままであれば再度ステップＳ５０６へ戻り、同様の動作を行う。また、上記ステップＳ５０７において、スイッチＳＷ１がＯＦＦであった場合は、ステップ５１４へ進む。
【００６９】
また、上記ステップ５０６にてレリーズスイッチＳＷ２がＯＮしたことを判定すると、システム制御回路５０は、ステップＳ５０８へ進み、静止画記録のために撮像素子１４への露光を行う。次のステップＳ５０９では、撮像素子１４に蓄積されたデータを読み出し、そしてステップＳ５１０にて、Ａ／Ｄ変換器１６を使って撮像素子１４から読み出したアナログ信号をデジタル信号に変換する。そして、次のステップＳ５１１にて、画像処理回路２０を使って各種画像処理を行う。続くステップＳ５１２では、上記ステップ５１１で処理した画像を静止画記録に適した形に圧縮する。そして、ステップＳ５１３にて、上記ステップＳ５１２で圧縮したデータを、記録媒体用インターフェース９０を介してデジタルカメラ１００に装着されたメモリカードなどの記録媒体２００へ転送する。そして、ステップＳ５１４へ進む。
【００７０】
次のステップＳ５１４では、システム制御回路５０は、再度動画記録中であるか否かを判定し、動画記録中でなければ一連の動作を終了する。一方、動画記録中であると判定した場合はステップＳ５１４からステップＳ５１５へ進み、タリーランプ５８の点滅を再開させ、一連の動作を終了する。
【００７１】
以上の実施例４によれば、動画記録中に静止画撮影の準備動作に入った場合には、動画記録中であることを撮影者（被撮影者も含む）に対して通知するためのタリーランプ５８の点滅を行わずに消灯するようにしている。そのため、その反射光が静止画に記録されることを未然に防止することが可能となる。よって、動画記録中であっても良好な静止画を得ることが可能となる。
【００７２】
なお、上記の変形例として、動画記録中に静止画撮影の準備動作に入った場合には、タリーランプ５８の点滅時の発光量を、静止画撮影のみ行われる場合に比べて抑制するようにしても良い。このことによって、動画記録中であることを撮影者に対して通知する機能は保持しつつ、タリーランプ５８の反射光が静止画に映り込む量を抑えることが可能である。よって、撮影者に対して良好な動画を与えることができるものである。
【００７３】
以上の動作説明は、撮像装置としての動作についてのものであるが、焦点調節装置としての動作であってもよい。
【図面の簡単な説明】
【００７４】
【図１】本発明の実施例１に係るデジタルカメラの回路構成を示すブロック図である。
【図２】本発明の実施例１に係るデジタルカメラにおける主要部分の動作を示すフローチャートである。
【図３】本発明の実施例２に係るデジタルカメラにおける主要部分の動作を示すフローチャートである。
【図４】本発明の実施例３に係るデジタルカメラにおける主要部分の動作を示すフローチャートである。
【図５】図４のデジタルカメラにおいてＡＦ補助光のＯＮ／ＯＦＦの選択画面の例を示す図である。
【図６】本発明の実施例４に係るデジタルカメラにおける主要部分の動作を示すフローチャートである。
【符号の説明】
【００７５】
１４  撮像素子
２２  メモリ制御回路
２８  画像表示部
５０  システム制御回路
５２  メモリ
５８  タリーランプ
５９  ＡＦ補助光部
【図１】
2007049417.tif 000003
【図２】
2007049417.tif 000004
【図３】
2007049417.tif 000005
【図４】
2007049417.tif 000006
【図５】
2007049417.tif 000007
【図６】
2007049417.tif 000008